(57)【特許請求の範囲】
【請求項１】
複数の図柄が表示されたリール帯と、前記リール帯を少なくとも一周巻回して取り付ける円環状のリール枠とからなる複数のリールを有し、前記リールが回転することで前記図柄を変動表示するリールユニットを備える遊技機であって、
前記リール枠は、円環状の第１の枠体と、前記第１の枠体との間で前記リール帯の内周側から前記リール帯の一方の側縁部を挟持して支持する第１の支持爪と、前記第１の枠体とは別体である円環状の第２の枠体と、前記第２の枠体との間で前記リール帯の内周側から前記リール帯の他方の側縁部を挟持して支持する第２の支持爪と、を備え、
前記リール帯の前記各側縁部は、前記各支持爪に係止する係止部を備え、
前記リール帯の前記係止部は、前記リールの回転方向を長手方向として、前記リールの径方向中心側に突出する突起であるとともに、
前記各支持爪は、前記係止部を収容して前記リールの回転軸方向に係止する係止溝を有し、
前記リール帯の前記各側縁部が前記リール枠の前記各支持爪に支持されることにより、前記リール帯が前記リール枠に装着されることを特徴とする遊技機。
【請求項２】
複数の図柄が表示されたリール帯と、前記リール帯を少なくとも一周巻回して取り付ける円環状のリール枠とからなる複数のリールを有し、前記リールが回転することで前記図柄を変動表示するリールユニットを備える遊技機であって、
前記リール枠は、円環状の第１の枠体と、前記第１の枠体との間で前記リール帯の内周側から前記リール帯の一方の側縁部を挟持して支持する第１の支持爪と、円環状の第２の枠体と、前記第２の枠体との間で前記リール帯の内周側から前記リール帯の他方の側縁部を挟持して支持する第２の支持爪と、前記第１の枠体および前記第２の枠体を一体化するリブと、を備え、
前記リール帯の前記各側縁部は、前記各支持爪に係止する係止部を備え、
前記リール帯の前記係止部は、前記リールの回転方向を長手方向として、前記リールの径方向中心側に突出する突起であるとともに、
前記各支持爪は、前記係止部を収容して前記リールの回転軸方向に係止する係止溝を有し、
前記リール帯の前記各側縁部が前記リール枠の前記各支持爪に支持されることにより、前記リール帯が前記リール枠に装着されることを特徴とする遊技機。
【請求項３】
前記リール帯の前記各側縁部と前記支持爪との接触部の少なくとも一方に、滑り止め手段を有することを特徴とする請求項１または請求項２に記載の遊技機。
【請求項４】
前記滑り止め手段は、前記リール帯の前記各側縁部に形成されるとともに、前記リールの回転軸方向を長手方向として、前記リールの径方向中心側に突出する突起であることを特徴とする請求項３に記載の遊技機。
【発明の詳細な説明】
【技術分野】
【０００１】
本発明は、パチスロ機等の遊技機に関する。
【背景技術】
【０００２】
従来、パチスロ機と称される遊技機が広く普及している。この種のパチスロ機では、複数の図柄がそれぞれの表面に配された回転可能な複数のリールと、複数のリールの回転の開始を要求するスタートレバーと、該当するリールの回転の停止を要求するストップボタンとが設けられている。そして、パチスロ機は、遊技者によるスタートレバーの操作を検出すると、乱数値に基づいて抽籤を行い、この抽籤の結果と遊技者によるストップボタンの操作を検出したタイミングとに基づいて、リールの回転を停止するようになっている。
【０００３】
リールは、円環状のリール枠と、枠体の外周側に巻回されたリール帯とを有している。リール帯の表面には、複数の図柄が表示されている。ここで、リール枠の外周部に一対の突起を形成するとともに、リール帯に一対の係止穴を設けた構造のリールが開発されている（例えば、特許文献１）。このリールによれば、リールを組み立てる際には、リール帯の一対の係止穴をリール枠の一対の突起に係止することで、リール帯をリール枠に取り付けることができるようになる。このリールによれば、リール枠の外周側にリール帯を貼付する必要が無いので、リールの組み立て工程を大幅に簡略化することができる。
【先行技術文献】
【特許文献】
【０００４】
【特許文献１】特開２００８−１１００３９号公報
【発明の概要】
【発明が解決しようとする課題】
【０００５】
しかしながら、上述のリールを有するパチスロ機にあっては、リール枠の突起にリール帯の係止穴を係合しなければならず、依然として組み立て作業が煩雑で組み立て性が悪いという課題があった。また、組み立て後のリールの外周側に一対の突起が突出しているので、リールの回転中において、遊技者が突起を視認可能になり、いわゆる目押しが容易になってしまう可能性がある。遊技者の中には、リールの回転中にこの一対の突起を視認容易な遊技者と、視認困難な遊技者とがいるため、このように一対の突起を目安にした目押しが可能となることは、遊技の公平性を欠くことになるという課題があった。
【０００６】
本発明は、上述のような事情に鑑みてなされたもので、目押しが容易になることなく、リール枠にリール帯を取り付ける際の組み立て性を従来より向上できる遊技機を提供することを目的とする。
【課題を解決するための手段】
【０００７】
本発明に係る遊技機は、上記目的達成のため、複数の図柄が表示されたリール帯と、前記リール帯を少なくとも一周巻回して取り付ける円環状のリール枠とからなる複数のリールを有し、前記リールが回転することで前記図柄を変動表示するリールユニットを備える遊技機であって、前記リール枠は、円環状の第１の枠体と、前記第１の枠体との間で前記リール帯の内周側から前記リール帯の一方の側縁部を挟持して支持する第１の支持爪と、前記第１の枠体とは別体である円環状の第２の枠体と、前記第２の枠体との間で前記リール帯の内周側から前記リール帯の他方の側縁部を挟持して支持する第２の支持爪と、を備え、前記リール帯の前記各側縁部は、前記各支持爪に係止する係止部を備え、前記リール帯の前記係止部は、前記リールの回転方向を長手方向として、前記リールの径方向中心側に突出する突起であるとともに、前記各支持爪は、前記係止部を収容して前記リールの回転軸方向に係止する係止溝を有し、前記リール帯の前記各側縁部が前記リール枠の前記各支持爪に支持されることにより、前記リール帯が前記リール枠に装着される構成を有する。
【０００８】
この構成により、本発明に係る遊技機は、リール枠に第１の支持爪および第２の支持爪が形成されているので、リール帯をリール枠に取り付ける際に、リール帯の側縁部を第１の支持爪と第１の枠体との間、および第２の支持爪と第２の枠体との間に挟持させて支持させることができる。これにより、従来のように枠体の突起にリール帯の係止穴を係合する場合に比べて、リール帯をリール枠に取り付ける作業性を容易にしてリールの組み立て性を向上することができる。
【０００９】
そして、この遊技機では、各支持爪を各枠体の内周側、即ちリール帯の内周側に配置することにより、遊技者は各支持爪を外部から視認することができないので、支持爪が目押しの目安になることを防止できる。
【００１０】
しかも、この遊技機では、第１の枠体と第２の枠体とが分離しているので、第１の枠体をリール帯の一方の側縁部に取り付け、その後に第２の枠体をリール帯の他方の側縁部に取り付けるようにしてリールを組み立てることができる。これにより、第１の枠体および第２の枠体が連結している場合のようにリール帯を第１の枠体および第２の枠体に同時に取り付ける必要がないので、リール枠にリール帯を容易に取り付けることができる。
【００１１】
また、本発明に係る遊技機において、複数の図柄が表示されたリール帯と、前記リール帯を少なくとも一周巻回して取り付ける円環状のリール枠とからなる複数のリールを有し、前記リールが回転することで前記図柄を変動表示するリールユニットを備える遊技機であって、前記リール枠は、円環状の第１の枠体と、前記第１の枠体との間で前記リール帯の内周側から前記リール帯の一方の側縁部を挟持して支持する第１の支持爪と、円環状の第２の枠体と、前記第２の枠体との間で前記リール帯の内周側から前記リール帯の他方の側縁部を挟持して支持する第２の支持爪と、前記第１の枠体および前記第２の枠体を一体化するリブと、を備え、前記リール帯の前記各側縁部は、前記各支持爪に係止する係止部を備え、前記リール帯の前記係止部は、前記リールの回転方向を長手方向として、前記リールの径方向中心側に突出する突起であるとともに、前記各支持爪は、前記係止部を収容して前記リールの回転軸方向に係止する係止溝を有し、前記リール帯の前記各側縁部が前記リール枠の前記各支持爪に支持されることにより、前記リール帯が前記リール枠に装着される構成を有する。
【００１２】
この構成により、本発明に係る遊技機は、リール枠に第１の支持爪および第２の支持爪が形成されているので、リール帯をリール枠に取り付ける際に、リール帯の側縁部を第１の支持爪と第１の枠体との間、および第２の支持爪と第２の枠体との間に挟持させて支持させることができる。これにより、従来のように枠体の突起にリール帯の係止穴を係合する場合に比べて、リール帯をリール枠に取り付ける作業性を容易にしてリールの組み立て性を向上することができる。
【００１３】
そして、この遊技機では、各支持爪を各枠体の内周側、即ちリール帯の内周側に配置することにより、遊技者は各支持爪を外部から視認することができないので、支持爪が目押しの目安になることを防止できる。
【００１４】
しかも、この遊技機では、第１の枠体と第２の枠体とがリブにより一体化されているので、リール帯を第１のリール枠および第２のリール枠に同時に取り付けることができる。このため、リール枠にリール帯を取り付ける際の作業が１回で済むので、作業性を向上することができる。
【００１６】
また、本発明に係る遊技機は、リール帯をリール枠に取り付ける際に、係止部を係止溝に押し込むようにワンタッチで簡単に取り付けできるので、リール帯をリール枠に取り付ける作業性を容易にしてリールの組み立て性を向上することができる。また、リール帯をリール枠に取り付けた後は、係止部が係止溝に引っ掛かってリール帯がリール枠から外れ難くなるので、リール帯とリール枠とが使用中に分離してしまうことを防止できる。
【００１７】
また、本発明に係る遊技機において、前記リール帯の前記各側縁部と前記支持爪との接触部の少なくとも一方に、滑り止め手段を有する構成を有する。この構成により、本発明に係る遊技機は、リール帯がリール枠に対してリールの回転方向に滑らなくなるので、リールの使用中にリール帯に描かれた図柄の位置が回転方向にずれてしまうことを抑制できる。
【００１８】
また、本発明に係る遊技機において、前記滑り止め手段は、前記リール帯の前記各側縁部に形成されるとともに、前記リールの回転軸方向を長手方向として、前記リールの径方向中心側に突出する突起である構成を有する。この構成により、本発明に係る遊技機は、リール帯の形成時に滑り止め手段を容易かつ安価に形成できるので、リールの使用中に図柄がずれてしまうことを安価に抑制できる。
【発明の効果】
【００１９】
本発明によれば、目押しが容易になることなく、リール枠にリール帯を取り付ける際の組み立て性を従来より向上できる。
【図面の簡単な説明】
【００２０】
【図１】本発明の実施の形態に係る遊技機の前面扉を開けた状態を示す正面図である。
【図２】本発明の実施の形態に係る遊技機のリールユニットを示す斜視図である。
【図３】本発明の実施の形態に係る遊技機のリール部を示す斜視図である。
【図４】本発明の実施の形態に係る遊技機のリールの分解組立図である。
【図５】図３のＶ−Ｖ線で切断した状態を示す一部省略の斜視図である。
【図６】本発明の実施の形態に係る遊技機のリール枠とリール帯との分解組立図である。
【図７】本発明の実施の形態に係る遊技機を示す正面図である。
【図８】本発明の他の実施の形態に係る遊技機のリール部を示す斜視図である。
【発明を実施するための形態】
【００２１】
以下に、本発明に係る遊技機の一例であるパチスロ機について図面に基づいて説明する。
【００２２】
図１〜図７を参照して、本実施の形態におけるパチスロ機１の構造について説明する。
【００２３】
パチスロ機１は、遊技メダル、遊技球またはトークン等の他、遊技者に付与される遊技価値の情報を記憶したカード等の遊技媒体を用いて遊技する遊技機であるが、以下では遊技メダルを用いるものとして説明する。遊技メダル（以下、単にメダルとも称する）は、コイン、メダル、トークン等と称される代用貨幣である。
【００２４】
図１に示すように、パチスロ機１は、筐体２と、前面扉３とを備えている。
【００２５】
筐体２の内部には、棚板２ａが設けられている。棚板２ａの下方には、ホッパ１０と、電源ボックス２０とが設けられるとともに、棚２ａの上方には、制御盤３０と、リールユニット４０とが設けられている。
【００２６】
ホッパ１０は、投入された遊技メダルを収納したり、遊技メダルを前面扉３の後述するメダル受け皿９２に払い出したりするようになっている。電源ボックス２０は、パチスロ機１の各部に電力を供給するとともに、還元率設定スイッチ２０ａを備えている。制御盤３０は、パチスロ機１を制御するメイン基板およびサブ基板を備えている。
【００２７】
図２に示すように、リールユニット４０は、リール部４１と、リールケース４２と、リールカバー４３と、フランジ４４とを備えている。
【００２８】
リール部４１は、左リール部４１Ｌと、中リール部４１Ｃと、右リール部４１Ｒとを備えている。左リール部４１Ｌと、中リール部４１Ｃと、右リール部４１Ｒとは、リールケース４２に並列に保持されている。リールケース４２は箱状で、リール部４１の後側を囲うようになっている。
【００２９】
リールカバー４３は、リールケース４２の前側に着脱可能に設けられている。リールカバー４３は、各リール部４１の前側に対応する位置に、左開放窓４５Ｌと、中開放窓４５Ｃと、右開放窓４５Ｒとからなる開放窓４５を備えている。リールカバー４３は、リールケース４２に装着された際に、各開放窓４５を介して前方から各リール部４１の前側を視認可能にして各リール部４１の前側を囲うようになっている。フランジ４４は、リールユニット４０の下部に設けられるとともに、例えばボルトにより棚板２ａに固定されている。
【００３０】
本実施の形態では、左リール部４１Ｌと、中リール部４１Ｃと、右リール部４１Ｒとは、同一構造であるので、以下、左リール部４１Ｌと、中リール部４１Ｃと、右リール部４１Ｒとをリール部４１として説明する。
【００３１】
図３に示すように、リール部４１は、リール４６と、モータ４７と、アングル部材４８と、回転センサ４９とを備えている。リール部４１は、リール４６と、モータ４７と、アングル部材４８と、回転センサ４９とが一体になって、リールケース４２に対して着脱可能になっている。
【００３２】
リール４６は、リール枠５０と、リール帯５２とを備えている。
【００３３】
図４に示すように、リール枠５０は、第１の枠体５３と、ハブ５４と、スポーク５５と、第１の支持爪５６と、第２の枠体５７と、第２の支持爪５８とを備えている。第１の枠体５３は、円環状で、側壁部５３ａと、周壁部５３ｂとを備えている。ハブ５４は、第１の枠体５３の中央部に設けられている。スポーク５５は、第１の枠体５３とハブ５４とを連結している。
【００３４】
図５に示すように、第１の支持爪５６は、第１の枠体５３の側壁部５３ａを基端部として軸方向Ａの中心側に向けて突出して設けられるとともに、第１の枠体５３の周壁部５３ｂとの間でリール帯５２の内周側からリール帯５２の一方の側縁部を挟持して支持するようになっている。第１の支持爪５６と周壁部５３ｂとは、密着あるいは僅かに隙間を有して設けられている。
【００３５】
第１の支持爪５６の基端部の周壁部５３ｂに対向する部位には、リール帯５２の後述する係止部５２ｂを収容して軸方向に係止する係止溝５６ａが形成されている。第１の支持爪５６の先端部の周壁部５３ｂ側には、傾斜面からなる案内面５６ｂが形成されている。また、第１の支持爪５６は、第１の枠体５３に対して円周方向に等間隔を開けて８か所に形成されている。
【００３６】
第２の枠体５７は、円環状で、側壁部５７ａと、周壁部５７ｂとを備えている。第２の枠体５７の周壁部５７ｂの内径は、第１の枠体５３の周壁部５３ｂの内径と同一に設定されている。
【００３７】
第２の支持爪５８は、第２の枠体５７の側壁部５７ａを基端部として軸方向Ａの中心側に向けて突出して設けられるとともに、第２の枠体５７の周壁部５７ｂとの間でリール帯５２の内周側からリール帯５２の他方の側縁部を挟持して支持するようになっている。第２の支持爪５８と周壁部５７ｂとは、密着あるいは僅かに隙間を有して設けられている。
【００３８】
第２の支持爪５８の基端部の周壁部５７ｂに対向する部位には、リール帯５２の後述する係止部５２ｂを収容して軸方向に係止する図示しない係止溝が形成されている。第２の支持爪５８の先端部の周壁部５７ｂ側には、傾斜面からなる図示しない案内面が形成されている。なお、第２の支持爪５８の係止溝および案内面は、第１の支持爪５６の係止溝５６ａおよび案内面５６ｂと同様の構造であるので、詳細な図示は省略する。また、第２の支持爪５８は、第２の枠体５７に対して円周方向に等間隔を開けて８か所に形成されている。
【００３９】
リール帯５２は、帯体５２ａと、係止部５２ｂと、滑り止め手段５２ｃとを備えている。帯体５２ａは、帯状で合成樹脂製のフィルムからなるとともに、外周側には図柄が表示されている。係止部５２ｂは、帯体５２ａの内周側の両縁端部の全周に亘って形成されるとともに、リール４６の内周側に突出する突起となっている。
【００４０】
滑り止め手段５２ｃは、リール帯５２の内周側の各側縁部の全周に亘って形成されている。滑り止め手段５２ｃは、リール４６の軸方向Ａを長手方向としてリール４６の回転方向に適宜間隔を開けた平行線状に配置されるとともに、リール４６の内周側に突出する多数の突起となっている。
【００４１】
図３に示すように、モータ４７は、例えばステッピングモータにより構成されている。モータ４７の回転軸は、リール枠５０のハブ５４に連結されている。リール４６は、モータ４７によって支持されるとともに、モータ４７の駆動により回転するようになっている。
【００４２】
アングル部材４８は、モータ４７を支持している。また、アングル部材４８の下部には、フランジ部４８ａが形成されている。フランジ部４８ａは、例えばボルトによりリールユニット４０のフランジ４４に固定されている。
【００４３】
回転センサ４９は、フォトセンサ４９ａと、検出子４９ｂとを備えている。フォトセンサ４９ａは、モータ４７の近傍のアングル部材４８に取り付けられるとともに、制御盤３０に接続されている。検出子４９ｂは、スポーク５５の一部に一体形成されている。リール４６の回転により検出子４９ｂが回転してフォトセンサ４９ａを通過すると、フォトセンサ４９ａが検出子４９ｂの通過を検出して、制御盤３０に信号を入力するようになっている。これにより、制御盤３０は、リール４６の回転位置を把握し、リール帯５２に表示された図柄のうちどの図柄が前面扉３の後述する表示窓６１に表示されているかを把握することができる。
【００４４】
図７に示すように、前面扉３は、正面パネル６０と、台座部７０と、下部パネル８０と、払出部９０とを備えるとともに、筐体２の前面を開閉するようになっている。
【００４５】
正面パネル６０は、表示窓６１と、遊技状態表示部６２とを備えている。表示窓６１は、横方向に並んで配置された左窓６１Ｌと、中窓６１Ｃと、右窓６１Ｒとに矩形状に区画されている。また、左窓６１Ｌは左リール部４１Ｌの図柄を観察可能に配置されており、中窓６１Ｃは中リール部４１Ｃの図柄を観察可能に配置されており、右窓６１Ｒは右リール部４１Ｒの図柄を観察可能に配置されている。遊技状態表示部６２は、正面パネル６０の上部に配置されるとともに、クレジット枚数、ＢＥＴ枚数、メダルの排出状況等が表示されるようになっている。
【００４６】
台座部７０は、正面パネル６０の下方に配置されるとともに、投入口７１と、第１のＢＥＴスイッチ７２と、第２のＢＥＴスイッチ７３と、第３のＢＥＴスイッチ７４と、スタートレバー７５と、３つのリール停止ボタン７６と、払出しボタン７７とを備えている。
【００４７】
投入口７１は、台座部７０の右側上部に配置されるとともに、遊技者が遊技メダルを投入可能になっている。
【００４８】
第１のＢＥＴスイッチ７２は、台座部７０の左側上部に配置されるとともに、遊技者による押圧操作により１回の遊技に１枚のメダルを賭けるようになっている。第２のＢＥＴスイッチ７３は、台座部７０の左側上部に配置されるとともに、遊技者による押圧操作により１回の遊技に２枚のメダルを賭けるようになっている。第３のＢＥＴスイッチ７４は、台座部７０の左側上部に配置されるとともに、遊技者による押圧操作により１回の遊技に３枚のメダルを賭けるようになっている。
【００４９】
スタートレバー７５は、台座部７０の左側前部に配置されるとともに、遊技者の傾動操作により、リール部４１が一斉に回転されるようになっている。リール部４１が回転したときには、リール部４１の各々の外周面に描かれている複数の図柄が、表示窓６１において変動表示されるようになっている。
【００５０】
リール停止ボタン７６は、台座部７０の中央前部に配置されるとともに、左リール停止ボタン７６Ｌと、中リール停止ボタン７６Ｃと、右リール停止ボタン７６Ｒとを備えている。左リール停止ボタン７６Ｌは、遊技者の押圧操作により左リール部４１Ｌを停止させるようになっている。中リール停止ボタン７６Ｃは、遊技者の押圧操作により中リール部４１Ｃを停止させるようになっている。右リール停止ボタン７６Ｒは、遊技者の押圧操作により右リール部４１Ｒを停止させるようになっている。
【００５１】
払出しボタン７７は、台座部７０の左側前部に配置されるとともに、遊技者の押圧操作により、払出部９０からメダルが払い出されるようになっている。
【００５２】
下部パネル８０は、台座部７０の下方に配置されるとともに、遊技の名称等を表示するようになっている。
【００５３】
払出部９０は、メダル払出口９１と、メダル受け皿９２とを備えている。メダル払出口９１は、遊技者による払出しボタン６７の押圧操作によって、投入されているメダルが払い出されるようになっている。メダル受け皿９２は、メダル払出口９１から払い出されたメダルを貯めるようになっている。
【００５４】
次に、本実施の形態のリール部４１を組み立てる際の手順について説明する。
【００５５】
最初に、リール帯５２を丸めて、外周側の先端部５２ｄの内周面を帯体５２ａの外周面に接着し、リール帯５２を円環状に形成する。この時、第１の枠体５３の周壁部５３ｂの内径および第２の枠体５７の周壁部５７ｂの内径と同等の直径を有する円柱状の巻型を用意しておき、この巻型にリール帯５２を巻き付けて、リール帯５２の外周側の先端部５２ｄの内周面を帯体５２ａの外周面に接着することが好ましい。これにより、円環状に形成したリール帯５２の直径を、第１の枠体５３の周壁部５３ｂの内径および第２の枠体５７の周壁部５７ｂの内径と同等にすることができる。
【００５６】
そして、円環状に形成したリール帯５２の一方の側部に、第１の枠体５３を取り付ける。この時、図６に示すように、リール帯５２の先端部５２ｄを所定位置、例えば検出子４９ｂを有するスポーク５５に合わせるように位置決めして、リール帯５２と第１の枠体５３とを軸方向Ａに押圧する。これにより、リール帯５２の係止部５２ｂが第１の支持爪５６の案内面５６ｂに押し当てられて案内され、第１の支持爪５６と周壁部５３ｂとの間に押し込まれ、図５に示すように、係止部５２ｂが係止溝５６ａに入れ込まれる。
【００５７】
係止部５２ｂが係止溝５６ａに入れ込まれることにより、係止部５２ｂが係止溝５６ａに係合するので、リール帯５２が第１の枠体５３から軸方向Ａに脱落することが抑制される。
【００５８】
また、リール帯５２の側縁部は第１の支持爪５６と周壁部５３ｂとの間に挟持されて、滑り止め手段５２ｃは、第１の支持爪５６との間で回転方向に摩擦力を発生する。これにより、リール帯５２が第１の枠体５３に対して回転方向にずれてしまうことが抑制される。
【００５９】
そして、円環状に形成したリール帯５２の他方の側部に、第２の枠体５７を取り付ける。第２の枠体５７は、第１の枠体５３とは異なりリール帯５２の図柄に位置合わせをする必要がないので、任意の取り付け角度でリール帯５２に取り付けることができる。
【００６０】
リール帯５２と第２の枠体５７とを軸方向Ａに押圧する。これにより、リール帯５２の係止部５２ｂが第２の支持爪５８の案内面に押し当てられて案内され、第２の支持爪５８と周壁部５７ｂとの間に押し込まれ、係止部５２ｂが第２の支持爪５８の係止溝に入れ込まれる。
【００６１】
係止部５２ｂが係止溝に入れ込まれることにより、係止部５２ｂが係止溝に係合するので、リール帯５２が第２の枠体５７から軸方向Ａに脱落することが抑制される。
【００６２】
以上のように、本実施の形態に係るパチスロ機１によれば、第１の枠体５３に第１の支持爪５６が形成されているので、リール帯５２を第１の枠体５３に取り付ける際に、リール帯５２の側縁部を第１の支持爪５６と周壁部５３ｂとの間に挟持させて支持させることができる。また、第２の枠体５７に第２の支持爪５８が形成されているので、リール帯５２を第２の枠体５７に取り付ける際に、リール帯５２の側縁部を第２の支持爪５８と周壁部５７ｂとの間に挟持させて支持させることができる。これにより、従来のように枠体の突起にリール帯の係止穴を係合する場合に比べて、リール帯５２をリール枠５０に取り付ける作業性を容易にしてリール４６の組み立て性を向上することができる。
【００６３】
また、本実施の形態に係るパチスロ機１によれば、第１の支持爪５６および第２の支持爪５８をリール帯５２の内周側に配置しているので、遊技者は第１の支持爪５６および第２の支持爪５８を外部から視認することができず、第１の支持爪５６および第２の支持爪５８が目押しの目安になることを防止できる。
【００６４】
しかも、本実施の形態に係るパチスロ機１によれば、第１の枠体５３と第２の枠体５７とが分離しているので、第１の枠体５３をリール帯５２の一方の側縁部に取り付け、その後に第２の枠体５７をリール帯５２の他方の側縁部に取り付けることでリール４６を組み立てることができる。これにより、第１の枠体５３および第２の枠体５７が連結している場合のようにリール帯５２を第１の枠体５３および第２の枠体５７に同時に取り付ける必要がないので、リール枠５０にリール帯５２を容易に取り付けることができる。
【００６５】
また、本実施の形態に係るパチスロ機１によれば、リール帯５２の係止部５２ｂは、帯体５２ａの内周側の両縁端部の全周に亘って形成されるとともに、リール４６の内周側に突出する突起となっている。また、第１の支持爪５６および第２の支持爪５８は、係止部５２ｂを収容して軸方向に係止する係止溝５６ａが形成されている。
【００６６】
これにより、リール帯５２をリール枠５０に取り付ける際に、係止部５２ｂを係止溝５６ａに押し込むようにワンタッチで簡単に取り付けできるので、リール帯５２をリール枠５０に取り付ける作業性を容易にしてリール４６の組み立て性を向上することができる。また、リール帯５２をリール枠５０に取り付けた後は、係止部５２ｂが係止溝５６ａに引っ掛かってリール帯５２がリール枠５０から外れ難くなるので、リール帯５２とリール枠５０とが使用中に分離してしまうことを防止できる。
【００６７】
また、本実施の形態に係るパチスロ機１によれば、リール帯５２の各側縁部に滑り止め手段５２ｃを備えている。このため、リール帯５２がリール枠５０に対してリール４６の回転方向に滑らなくなるので、リール４６の使用中にリール帯５２に描かれた図柄の位置が回転方向にずれてしまうことを抑制できる。
【００６８】
また、本実施の形態に係るパチスロ機１によれば、滑り止め手段５２ｃは、リール帯５２の各側縁部に形成されるとともに、軸方向Ａを長手方向として、径方向中心側に突出する突起となっている。このため、リール帯５２の形成時に滑り止め手段５２ｃを容易かつ安価に形成できるので、リール４６の使用中に図柄がずれてしまうことを安価に抑制できる。
【００６９】
上述した本実施の形態のパチスロ機１においては、第１の枠体５３と第２の枠体５７とが分離している場合について説明した。しかしながら、本発明に係る遊技機においては、これに限られず、例えば、図８に示すように、第１の枠体１５３と第２の枠体１５７とが連結していてもよい。この場合、リール枠１５０は、第１の枠体１５３と、ハブ１５４と、スポーク１５５と、第１の支持爪１５６と、第２の枠体１５７と、第２の支持爪１５８と、リブ１５９とを備えている。リブ１５９は、第１の枠体１５３と、第２の枠体１５７とを連結している。リブ１５９は、例えば周方向に等間隔で８本設けられている。なお、こうしたリブは、第１の枠体１５３および第２の枠体１５７の周方向の全周に亘って設けられる構成でもよい。ここで、全周に亘ったリブの内周側にリール帯５２を設ける場合は、リブを透明な部材により形成することが好ましい。
【００７０】
ここで、図３に示すように、第１の枠体５３と第２の枠体５７とが分離している場合は、リール４６を組み立てる際にリール帯５２を第１の枠体５３と第２の枠体５７とのそれぞれに取り付ける別個の作業が必要になる。これに対し、図８に示すように、第１の枠体１５３と第２の枠体１５７とがリブ１５９により連結している場合は、リール帯５２を第１の枠体１５３および第２の枠体１５７に取り付ける作業は１回で済むので、リール帯５２を取り付ける作業性を向上することができる。
【００７１】
また、上述した本実施の形態のパチスロ機１においては、リール帯５２の係止部５２ｂはリール４６の内周側に突出するとともに、係止部５２ｂを収容して軸方向に係止する係止溝５６ａが第１の支持爪５６および第２の支持爪５８に形成されている場合について説明した。しかしながら、本発明に係る遊技機においては、これに限られず、例えば、リール帯５２の係止部がリール４６の外周側に突出するとともに、係止溝が第１の支持爪５６が対向する周壁部５３ｂや、第２の支持爪５８が対向する周壁部５７ｂに形成されるようにしてもよい。
【００７２】
また、上述した本実施の形態のパチスロ機１においては、リール帯５２の各側縁部に滑り止め手段５２ｃを備える場合について説明した。しかしながら、本発明に係る遊技機においては、これに限られず、例えば、第１の支持爪５６および第２の支持爪５８のリール帯５２への接触面に滑り止め手段を備えるようにしてもよい。また、滑り止め手段としては、直線状の突起に限られず、例えば細かい凹凸であったり、あるいはエラストマ等の高摩擦係数材料を貼付あるいは塗布するようにしてもよい。あるいは、滑り止め手段を備えないようにもできる。
【００７３】
また、上述した本実施の形態のパチスロ機１においては、各支持爪５６，５８を各周壁部５３ｂ，５７ｂおよびリール帯５２の内周側に配置した場合について説明した。しかしながら、本発明に係る遊技機においては、これに限られず、例えば、各支持爪５６，５８を各周壁部５３ｂ，５７ｂおよびリール帯５２の外周側に配置するようにしてもよい。この場合、第１の支持爪５６および第２の支持爪５８は、複数個所に形成されていることが好ましい。これにより、遊技者は第１の支持爪５６および第２の支持爪５８を視認しても、各支持爪５６，５８の位置とリール帯５２の図柄とを関連付けることが困難になるので、支持爪５６，５８が目押しの目安になることを抑制できる。
【００７４】
また、上述した本実施の形態の遊技機においては、遊技機をパチスロ機１に適用した場合について説明した。しかしながら、本発明に係る遊技機においては、これに限られず、例えば、図柄の変動表示装置を有するパチンコ機に対しても適用することができる。
【００７５】
以上のように、本発明に係る遊技機は、目押しが容易になることなく、リール枠にリール帯を取り付ける際の組み立て性を従来より向上できるという効果を奏するものであり、パチスロ機等の遊技機に有用である。
【符号の説明】
【００７６】
１  パチスロ機（遊技機）
４０  リールユニット
４１  リール部
４６  リール
５０  リール枠
５２  リール帯
５２ｂ  係止部
５２ｃ  滑り止め手段
５３  第１の枠体
５３ａ  側壁部
５３ｂ  周壁部
５６  第１の支持爪
５６ａ  係止溝
５７  第２の枠体
５７ａ  側壁部
５７ｂ  周壁部
５８  第２の支持爪
１５０  リール枠
１５３  第１の枠体
１５６  第１の支持爪
１５７  第２の枠体
１５８  第２の支持爪
１５９  リブ
【図１】
0005547236.tif 000002
【図２】
0005547236.tif 000003
【図３】
0005547236.tif 000004
【図４】
0005547236.tif 000005
【図５】
0005547236.tif 000006
【図６】
0005547236.tif 000007
【図７】
0005547236.tif 000008
【図８】
0005547236.tif 000009